(57)【要約】  【課題】青果物を立体的に展示するとともに、青果物を傷みにくくするための技術を提供すること。  【解決手段】  所定長さのヘタを有する青果物を展示するための青果物展示ケースであって、シート状部材を起立するように配置したケース本体と、前記ケース本体の表裏方向に青果物が通過可能な孔として形成された通過部と、前記ケース本体における前記通過部の上方において、青果物のヘタを固定するための固定部と、を備えており、前記固定部は、前記通過部の上方において前記ケース本体を表裏方向に貫通する貫通孔と、該貫通孔の上部から該貫通孔を塞ぐように延びる固定フラップと、からなり、前記固定部の貫通孔を介して前記ケース本体の表裏方向に青果物のヘタを通し、該貫通孔と前記固定フラップとでヘタを挟んで固定したうえで、青果物における本体の少なくとも一部を前記通過部に通過させた状態とすることにより該青果物を展示する。【選択図】図１
2016112410.tif 000002
【特許請求の範囲】
【請求項１】
所定長さのヘタを有する青果物を展示するための青果物展示ケースであって、
シート状部材を起立するように配置したケース本体と、
前記ケース本体の表裏方向に青果物が通過可能な孔として形成された通過部と、
前記ケース本体における前記通過部の上方において、青果物のヘタを固定するための固定部と、を備えており、
前記固定部は、前記通過部の上方において前記ケース本体を表裏方向に貫通する貫通孔と、該貫通孔の上部から該貫通孔を塞ぐように延びる固定フラップと、からなり、
前記固定部の貫通孔を介して前記ケース本体の表裏方向に青果物のヘタを通し、該貫通孔と前記固定フラップとでヘタを挟んで固定したうえで、青果物における本体の少なくとも一部を前記通過部に通過させた状態とすることにより該青果物を展示する
ことを特徴とする青果物展示ケース。
【請求項２】
前記固定部は、前記貫通孔および前記固定フラップそれぞれの下端が下方向の凸状となっている
ことを特徴とする請求項１に記載の青果物展示ケース。
【請求項３】
前記ケース本体における前記固定部の上方において、紐状の部材を引掛けるための引掛け部、を備えており、
前記引掛け部は、前記固定部の上方において前記ケース本体を表裏方向に貫通する貫通孔と、該貫通孔の下部から該貫通孔を塞ぐように延びる引掛けフラップと、からなり、
前記引掛け部の貫通孔を介して前記ケース本体の表裏方向に、紐状の部材により吊り下げ可能な装飾品における紐状の部材を通し、該貫通孔と前記引掛けフラップとで紐状の部材を挟んで固定したうえで、前記装飾品における本体の少なくとも一部を前記通過部に通過させた状態とすることにより、該装飾品を展示する
ことを特徴とする請求項１または請求項２に記載の青果物展示ケース。
【発明の詳細な説明】
【技術分野】
【０００１】
本発明は、青果物を展示するための青果物展示ケースに関する。
【背景技術】
【０００２】
従来から青果物は箱に収容して展示することが一般的である（特許文献１，２参照）。
【先行技術文献】
【特許文献】
【０００３】
【特許文献１】特表２０１３−５３８１６３号公報
【特許文献２】特開平０５−２５４５３６号公報
【発明の概要】
【発明が解決しようとする課題】
【０００４】
しかし、上述したような展示では、青果物を立体的に展示することができず、また、青果物と箱との接触箇所から青果物が傷みやすいという問題があった。
本発明は、このような課題を解決するためになされたものであり、その目的は、青果物を立体的に展示するとともに、青果物を傷みにくくするための技術を提供することである。
【課題を解決するための手段】
【０００５】
上記課題を解決するため第１の構成（請求項１）は、所定長さのヘタを有する青果物を展示するための青果物展示ケースであって、シート状部材を起立するように配置したケース本体と、前記ケース本体の表裏方向に青果物が通過可能な孔として形成された通過部と、前記ケース本体における前記通過部の上方において、青果物のヘタを固定するための固定部と、を備えている。また、前記固定部は、前記通過部の上方において前記ケース本体を表裏方向に貫通する貫通孔と、該貫通孔の上部から該貫通孔を塞ぐように延びる固定フラップと、からなる。
【０００６】
そして、前記固定部の貫通孔を介して前記ケース本体の表裏方向に青果物のヘタを通し、該貫通孔と前記固定フラップとでヘタを挟んで固定したうえで、青果物における本体の少なくとも一部を前記通過部に通過させた状態とすることにより該青果物を展示する。
【０００７】
このように構成された青果物展示ケースであれば、起立したケース本体にぶら下げるように青果物が固定されるため、青果物を立体的に展示することができるだけでなく、青果物本体が通過孔を通過してどこにも接触しない状態となるため、接触により青果物が傷んでしまうようなことを防止できる。
【０００８】
特に、食品である青果物を展示するにあたっては、テープや接着剤などの化学物質を含む材料を使用したくないという消費者のニーズが強いところ、本発明であれば、そのような材料を一切使用しなくてもよいため、そのような消費者ニーズにも応えることができる。
【０００９】
また、この構成においては、以下に示す第２の構成（請求項２）のようにしてもよい。
第２の構成において、前記固定部は、前記貫通孔および前記固定フラップそれぞれの下端が下方向の凸状となっている。
【００１０】
このような構成であれば、固定部における貫通孔および固定フラップそれぞれの下端が下方向の凸状となっているため、青果物のヘタが最下端部に位置しやすくなり、青果物の固定をより安定的ならしめることができる。
【００１１】
また、上記構成においては、以下に示す第３の構成（請求項３）のようにしてもよい。
前記ケース本体における前記固定部の上方において、紐状の部材を引掛けるための引掛け部、を備えており、
前記引掛け部は、前記固定部の上方において前記ケース本体を表裏方向に貫通する貫通孔と、該貫通孔の下部から該貫通孔を塞ぐように延びる引掛けフラップと、からなり、
前記引掛け部の貫通孔を介して前記ケース本体の表裏方向に、紐状の部材により吊り下げ可能な装飾品における紐状の部材を通し、該貫通孔と前記引掛けフラップとで紐状の部材を挟んで固定したうえで、前記装飾品における本体の少なくとも一部を前記通過部に通過させた状態とすることにより、該装飾品を展示する。
【００１２】
この引掛け部４０は、固定部３０の上方においてケース本体１０を表裏方向に貫通する貫通孔４１と、貫通孔４１の下部から貫通孔４１を塞ぐように延びる引掛けフラップ４３と、からなる。
【００１３】
この構成であれば、引掛け部には、貫通孔を介してケース本体の表裏方向に、紐状の部材により吊り下げ可能な装飾品における紐状の部材を通し、貫通孔と引掛けフラップとで紐状の部材を挟んで固定したうえで、装飾品おける本体の少なくとも一部を通過部に通過させた状態とすることにより、青果物展示ケースに対して装飾品を展示することもできる。
【図面の簡単な説明】
【００１４】
【図１】青果物展示ケースの全体構成を示す斜視図
【図２】青果物展示ケースの全体構成を示す６面図（一部は省略）
【図３】青果物展示ケースを構成する各パーツを示す展開図
【図４】ケース本体に青果物を固定した状態を示す図
【図５】別の実施形態における青果物展示ケースの全体構成を示す斜視図
【図６】別の実施形態におけるケース本体に装飾品を固定した状態を示す図
【発明を実施するための形態】
【００１５】
以下に本発明の実施形態を図面と共に説明する。
青果物展示ケース１は、所定長さのヘタを有する青果物を展示するためのものであり、図１，図２に示すように、シート状部材を起立するように配置したケース本体１０と、ケース本体の表裏方向に青果物が通過可能な孔として形成された通過部２０と、ケース本体１０における通過部２０の上方に設けられた固定部３０と、を備えている。
【００１６】
なお、青果物展示ケース１は、前後対称の形状となっているため、図２の６面図において背面図を省略している。
これらのうち、通過部２０は、展示対象となる青果物の形状に応じた形にケース本体１０をくり抜いた孔であればよく、本実施形態では、展示対象として「リンゴ」を想定して円形にくり抜いた孔となっている。
【００１７】
また、固定部３０は、通過部２０の上方においてケース本体を表裏方向に貫通する貫通孔３１と、貫通孔３１の上部から貫通孔３１を塞ぐように延びる固定フラップ３３と、からなる。また、貫通孔３１および固定フラップ３３は、それぞれの下端が下方向の凸状（本実施形態においては下方向に凸となる円弧状）となっている。
【００１８】
本実施形態では、図３に示すように、三角形を３段重ねしたような形状の段ボールからなるケース本体１０が３つ使用され、それぞれを折り曲げてその折り曲げ箇所を背中合わせにして載置台１１に載置することでケース本体１０が起立した使用状態となる構成とされている。さらに、この状態において各ケース本体１０の最上部に星形の装飾物１３が取り付けられ、これにより各ケース本体１０における最上部の位置関係が固定されている。
【００１９】
なお、このケース本体１０、載置台１１および装飾物１３は、所定の厚さを有する段ボールからなるものであり、図３において正面図のみを示し、それ以外の図を省略している。
【００２０】
この青果物展示ケース１では、固定部３０の貫通孔３１を介してケース本体の表裏方向に青果物のヘタ（本実施形態ではリンゴ１００のヘタ１１０）を通し、貫通孔３１と固定フラップ３３とでヘタを挟んで固定したうえで、青果物本体の少なくとも一部を通過部２０に通過させた状態とすることにより青果物を展示する（図４参照）。
【００２１】
このように構成された青果物展示ケース１であれば、起立したケース本体１０にぶら下げるように青果物が固定されるため、青果物を立体的に展示することができるだけでなく、青果物本体が通過孔を通過してどこにも接触しない状態となるため、接触により青果物が傷んでしまうようなことを防止できる。
【００２２】
特に、食品である青果物を展示するにあたっては、テープや接着剤などの化学物質を含む材料を使用したくないという消費者のニーズが強いところ、本発明であれば、そのような材料を一切使用しなくてもよいため、そのような消費者ニーズにも応えることができる。
【００２３】
また、上述した青果物展示ケース１については、図５に示すように、ケース本体１０における固定部３０の上方において、紐状の部材を引掛けるための引掛け部４０、を備えた構成としてもよい。
【００２４】
この引掛け部４０は、固定部３０の上方においてケース本体１０を表裏方向に貫通する貫通孔４１と、貫通孔４１の下部から貫通孔４１を塞ぐように延びる引掛けフラップ４３と、からなる。この引掛け部４０には、貫通孔４１を介してケース本体１０の表裏方向に、紐状の部材により吊り下げ可能な装飾品２００における紐状の部材２１０を通し、貫通孔４１と引掛けフラップ４３とで紐状の部材２１０を挟んで固定したうえで、装飾品２００における本体の少なくとも一部を通過部２０に通過させた状態とすることにより、図６に示すように、青果物展示ケース１に対して装飾品２００を展示することもできる。
【００２５】
また、上記構成であれば、固定部３０における貫通孔３１および固定フラップ３３それぞれの下端が下方向の凸状となっているため、青果物のヘタが最下端部に位置しやすくなり、青果物の固定をより安定的ならしめることができる。
【符号の説明】
【００２６】
１…青果物展示ケース、１０…ケース本体、１１…載置台、１３…装飾物、２０…通過部、３０…固定部、３１…貫通孔、３３…固定フラップ、４０…引掛け部、４１…貫通孔、４３…引掛けフラップ、１００…リンゴ、１１０…ヘタ、２００…装飾品、２１０…紐状の部材。
【図１】
2016112410.tif 000003
【図２】
2016112410.tif 000004
【図３】
2016112410.tif 000005
【図４】
2016112410.tif 000006
【図５】
2016112410.tif 000007
【図６】
2016112410.tif 000008